(57)【特許請求の範囲】
【請求項１】
モータと、前記モータによって回転される送風羽根と、前記送風羽根の周囲に配設され、かつ、前記送風羽根を保護するガードとを有する送風部、
前記ガードに取り付けられ、かつ、前記送風羽根によって送風される空気をガイドする筒状のガイドケーシングと、前記送風羽根の前方において前記ガイドケーシングの内部に配設され、かつ、前記空気の送風方向へ向けて霧を噴射する複数の噴霧ノズルとを有する噴霧部、および
前記複数の噴霧ノズルのうち少なくとも１個が接続された複数の給水ホースと、水を溜める水タンクと、前記水タンク内の水を前記給水ホースのそれぞれに圧送する給水ポンプと、前記給水ホースのそれぞれに対応して設けられ、かつ、前記噴霧ノズルへ向かう水の流路を必要に応じて開閉する弁とを有する給水部を備え、
前記給水ホースのそれぞれには少なくとも１個の前記噴霧ノズルが他の前記給水ホースに接続されることなく接続されている、噴霧機能付き扇風機。
【請求項２】
前記複数の噴霧ノズルは前記ガイドケーシングに取り付けられており、
前記ガイドケーシングは前記ガードに対して着脱可能に取り付けられており、
前記給水ホースのそれぞれは、前記噴霧ノズル側の部分と前記弁側の部分とに分割されており、かつ、これらの部分が接続部材を介して着脱可能に接続されている、請求項１に記載した噴霧機能付き扇風機。
【請求項３】
前記モータの回転数を変更することによって送風量を切り換える風量制御部をさらに備えており、前記風量制御部による送風量の切換動作に連動して前記弁を自動的に開閉操作する、請求項１または２に記載した噴霧機能付き扇風機。
【請求項４】
前記複数の噴霧ノズルのうち１個は前記ガイドケーシングの中心に配置されており、残りは前記ガイドケーシングの内周面に沿って配置されている、請求項１ないし３のいずれかに記載した噴霧機能付き扇風機。
【請求項５】
前記ガイドケーシングの下部には、前記ガイドケーシングの内周面を流れ落ちた水滴を受ける水受部が形成されており、前記水受部と前記水タンクとが返水ホースを介して接続されている、請求項１ないし４のいずれかに記載した噴霧機能付き扇風機。
【発明の詳細な説明】
【技術分野】
【０００１】
本発明は、熱中症対策または防塵対策として用いられる、噴霧機能付き扇風機に関する。
【背景技術】
【０００２】
工場、工事現場またはイベント会場等のような冷房設備の不十分な環境下においては、夏季の熱中症対策が重要であり、従来では、扇風機または噴霧器等の冷却装置を搬入して冷却することが行われていた。しかし、一般的な扇風機では、広範囲に送風できるものの、風が当たることによる体感温度の低下によって涼しさを感じさせるものに過ぎないため、熱中症対策としては不十分であった。一方、一般的な噴霧器では、霧が蒸発するときの気化熱を利用して気温を下げることができるものの、冷却対象領域の全体に霧を行き渡らせることが困難であり、十分な冷却効果を得ることができなかった。
【０００３】
そこで、従来では、扇風機と噴霧器とを組み合わせることによって広範囲を効率よく冷却できるようにした「噴霧機能付き扇風機」が種々開発されており、その一例が特許文献１に開示されている。特許文献１の「噴霧式クーラー」は、「送風機を構成する筒状ケーシングの排気側外周上部に複数の噴霧ノズルを設けたもの」である。
【０００４】
なお、扇風機と噴霧器とを組み合わせた装置は、霧によって塵埃を捕捉する「防塵装置」としても知られている（特許文献１の段落［００１２］）。
【特許文献１】実用新案登録第３０１１６４０号公報
【発明の開示】
【発明が解決しようとする課題】
【０００５】
特許文献１に記載された従来技術によれば、噴霧ノズルから噴射された霧を送風機から送風された風に乗せて広範囲に行き渡らせることができる。しかしながら、全ての噴霧ノズルが１本の給水ホースに接続されているため、噴霧ノズルを選択的に使用することができず、用途に応じて噴霧量を調整することができないという問題があった。たとえば、狭い領域を冷却または防塵する場合には、広い領域を冷却または防塵する場合に比べて少ない噴霧量で足りるが、従来技術では、噴霧量を調整することができないため、過剰な噴霧によって湿度が上がり過ぎるという問題があった。
【０００６】
また、噴霧ノズルが筒状ケーシングの排気側外周上部に設けられているため、噴霧ノズルから噴射された霧が筒状ケーシングの外側へ逃げ易くなっており、風に運ばれる霧の量を十分に確保できないという問題があった。また、噴霧ノズルが筒状ケーシングの外部に設けられているため、噴霧ノズルから滴下した水が装置周辺を濡らすことになり、使用場所によっては、水を受けるバケツ等を別に準備する必要があった。
【０００７】
それゆえに、本発明の主たる課題は、噴霧量を調整できるとともに、噴霧ノズルから噴射された霧を効率よく風に乗せることができる、噴霧機能付き扇風機を提供することである。また、本発明の他の課題は、噴霧ノズルから滴下した水を回収して再利用することができる、噴霧機能付き扇風機を提供することである。
【課題を解決するための手段】
【０００８】
請求項１に記載した発明は、「モータ４０と、前記モータ４０によって回転される送風羽根４６と、前記送風羽根４６の周囲に配設され、かつ、前記送風羽根４６を保護するガード４８とを有する送風部１４、前記ガード４８に取り付けられ、かつ、前記送風羽根４６によって送風される空気をガイドする筒状のガイドケーシング５６と、前記送風羽根４６の前方において前記ガイドケーシング５６の内部に配設され、かつ、前記空気の送風方向へ向けて霧を噴射する複数の噴霧ノズル５８ａ〜５８ｉとを有する噴霧部１６、および前記複数の噴霧ノズル５８ａ〜５８ｉのうち少なくとも１個が接続された複数の給水ホース８２，８４，８６，８８と、水を溜める水タンク９０と、前記水タンク９０内の水を前記給水ホース８２，８４，８６，８８のそれぞれに圧送する給水ポンプ９２と、前記給水ホース８２，８４，８６，８８のそれぞれに対応して設けられ、かつ、前記噴霧ノズル５８ａ〜５８ｉへ向かう水の流路を必要に応じて開閉する弁１０２，１０４，１０６，１０８とを有する給水部１８を備え、前記給水ホースのそれぞれには少なくとも１個の前記噴霧ノズルが他の前記給水ホースに接続されることなく接続されている、噴霧機能付き扇風機１０」である。
【０００９】
本発明では、給水ホースのそれぞれには少なくとも１個の噴霧ノズルが他の給水ホースに接続されることなく接続されているので、給水ホースに設けられた弁１０２，１０４，１０６，１０８を開閉操作することによって、実際に動作する噴霧ノズルの数を適宜変更することができる。
【００１０】
また、噴霧ノズル５８ａ〜５８ｉをガイドケーシング５６の内部に配設しているので、噴霧ノズル５８ａ〜５８ｉから噴射された霧がガイドケーシング５６の外側へ逃げるのを防止でき、ガイドケーシング５６の内部を通過する風に霧を効率よく乗せることができる。
【００１１】
さらに、噴霧ノズル５８ａ〜５８ｉをガイドケーシング５６の内部に配設しているので、噴霧ノズル５８ａ〜５８ｉから滴下した水をガイドケーシング５６の内周面に沿って流下させることができ、当該水を水受部６２（図７）等によって容易に回収することができる。
【００１２】
請求項２に記載した発明は、請求項１に記載した「噴霧機能付き扇風機１０」において、「前記複数の噴霧ノズル５８ａ〜５８ｉは前記ガイドケーシング５６に取り付けられており、前記ガイドケーシング５６は前記ガード４８に対して着脱可能に取り付けられており、前記給水ホース８２，８４，８６，８８のそれぞれは、前記噴霧ノズル側の部分と前記弁側の部分とに分割されており、かつ、これらの部分が接続部材８２ｄ，８４ｄ，８６ｄ，８８ｄを介して着脱可能に接続されている」ことを特徴とする。
【００１３】
本発明では、複数の噴霧ノズル５８ａ〜５８ｉが取り付けられたガイドケーシング５６をガード４８から離脱させることができ、かつ、給水ホースの噴霧ノズル側の部分を弁側の部分から切り離すことができるので、ガイドケーシング５６と、噴霧ノズル５８ａ〜５８ｉと、給水ホース８２，８４，８６，８８の噴霧ノズル側の部分（ノズル側給水ホース８２ｃ，８４ｃ，８６ｃ，８８ｃ、連結ホース８４ｂ，８６ｂ，８８ｂ）とをひとまとめにして、他の構成部分から完全に分離することができる。
【００１４】
請求項３に記載した発明は、請求項１または２に記載した「噴霧機能付き扇風機１０」において、「前記モータ４０の回転数を変更することによって送風量を切り換える風量制御部（風量スイッチユニット１２０）をさらに備えており、前記風量制御部（風量スイッチユニット１２０）による送風量の切換動作に連動して前記弁１０２，１０４，１０６，１０８を自動的に開閉操作する」ことを特徴とする。
【００１５】
本発明では、風量制御部による送風量の切換動作に連動して弁を自動的に開閉操作するようにしているので、送風量に応じた噴霧量を得られるように弁の開閉動作を予め設定しておくことによって、送風量に応じて噴霧量を自動的に調整することができる。
【００１６】
請求項４に記載した発明は、請求項１ないし３のいずれかに記載した「前記複数の噴霧ノズル５８ａ〜５８ｉのうち１個（５８ａ）は前記ガイドケーシング５６の中心に配置されており、残り（５８ｂ〜５８ｉ）は前記ガイドケーシング５６の内周面に沿って配置されている」ことを特徴とする。
【００１７】
本発明において、ガイドケーシング５６の中心に配置された１個の噴霧ノズル５８ａから霧が勢いよく噴射されると、その噴霧ノズル５８ａの周囲には負圧が発生する。そして、ガイドケーシング５６の内周面に沿って配置された噴霧ノズル５８ｂ〜５８ｉから噴射された霧は、当該負圧に引かれてガイドケーシング５６の中心側へ向かおうとする。したがって、噴霧ノズル５８ａ〜５８ｉから噴射された霧がガイドケーシング５６の外側へ逃げるのをより有効に防止できる。
【００１８】
請求項５に記載した発明は、請求項１ないし４のいずれかに記載した「噴霧機能付き扇風機１０」において、「前記ガイドケーシング５６の下部には、前記ガイドケーシング５６の内周面を流れ落ちた水滴を受ける水受部６２が形成されており、前記水受部６２と前記水タンク９０とが返水ホース７０を介して接続されている」ことを特徴とする。
【００１９】
本発明において、各噴霧ノズル５８ａ〜５８ｉから水が滴下すると、その水は、ガイドケーシング５６の内周面を流下して水受部６２に流れ込み、返水ホース７０を通して水タンク９０へ戻される。
【発明の効果】
【００２０】
請求項１〜５に記載した発明によれば、複数の弁を開閉操作することによって実際に動作する噴霧ノズルの数を変更することができるので、用途に応じて噴霧量を調整することができる。また、噴霧ノズルから噴射された霧を、ガイドケーシングの内部を通過する風に効率よく乗せることができるので、広範囲を効率よく冷却または防塵することができる。さらに、噴霧ノズル５８ａ〜５８ｉから滴下した水をガイドケーシング５６の内周面に沿わせて容易に回収することができる。
【００２１】
請求項２に記載した発明によれば、ガイドケーシングと、それに取り付けられた複数の噴霧ノズルと、噴霧ノズルに接続された給水ホースの噴霧ノズル側の部分とをひとまとめにして、他の構成部分から完全に分離することができるので、噴霧ノズルまたは給水ホース等の修理または点検を容易に行うことができる。
【００２２】
請求項３に記載した発明によれば、送風量に応じて噴霧量を自動的に調整することができるので、噴霧量を調整する手間を軽減できる。
【００２３】
請求項４に記載した発明によれば、噴霧ノズルから噴射された霧がガイドケーシングの外側へ逃げるのをより有効に防止できるので、広範囲をより効率よく冷却または防塵することができる。
【００２４】
請求項５に記載した発明によれば、噴霧ノズルから滴下した水を水タンクへ戻して再利用することができるので、水の補給に要する手間を軽減できるとともに、噴霧ノズルから滴下した水によって装置周辺が濡れるのを防止できる。
【発明を実施するための最良の形態】
【００２５】
図１は、本発明が適用された噴霧機能付き扇風機（以下、「噴霧扇風機」という。）１０を示す正面図であり、図２は、噴霧扇風機１０を示す側面図である。また、図３は、噴霧扇風機１０の要部を示す正面図であり、図４は、当該要部を示す一部破断側面図である。そして、図５は、噴霧扇風機１０の機能を示す概念図である。
【００２６】
噴霧扇風機１０は、図１および図２に示すように、台車１２を備えており、台車１２に対して、送風部１４、噴霧部１６、給水部１８（図２）および制御盤２０（弁制御部および風量制御部を含む。）等の各構成要素が組み込まれている。
【００２７】
台車１２は、基板２４を有しており、基板２４の前部における幅方向中央部には、可動キャスタ２６が取り付けられており、基板２４の後部における幅方向両側部には、軸受け部２８ａ（図１）を介して固定キャスタ２８が取り付けられている。また、基板２４の前端部には、幅方向へ延びる棒状の緩衝装置３０が固定部材３０ａを介して取り付けられており、後端部には、２本の棒状の脚部３２ａが略ハ字状に立設されており、脚部３２ａの上端部間には、略棒状のハンドル３２が架け渡されている。そして、基板２４の中央部には、送風部１４および噴霧部１６を支持する支柱３４が立設されており、支柱３４のやや後方には、制御盤２０を支持する支柱３６が立設されている。さらに、基板２４の上面には、給水部１８等を収容するハウジング３８が設けられている。
【００２８】
支柱３４は、図２に示すように、外柱３４ａとその内部に挿入された内柱３４ｂとによって二段に構成されており、内柱３４ｂの上端部には、モータ４０が取り付けられる取付部４２が角度調整部４４を介して取り付けられている。したがって、モータ４０の高さは、外柱３４ａに対する内柱３４ｂの挿入長さを調整することによって変更可能であり、モータ４０の水平面に対する傾斜角度は、角度調整部４４を調整することによって変更可能である。
【００２９】
送風部１４は、図３および図４に示すように、取付部４２（図４）に取り付けられたモータ４０と、モータ４０によって回転される送風羽根４６と、送風羽根４６の周囲に配設され、かつ、送風羽根４６を保護するガード４８と、制御盤２０のケース１１４（図２）内に収容されたモータドライバ５０（図５）とを備えている。
【００３０】
モータ４０（図４）は、電源（図示省略）から供給される電力によって回転駆動されるモータ本体４０ａと、モータ本体４０ａを収容するモータハウジング４０ｂとによって構成されており、モータ４０の回転数がモータドライバ５０（図５）によって切り換えられる。
【００３１】
送風羽根４６（図３、図４）は、モータ４０で回転されることによって前方へ向けて風を送風するものであり、モータ４０の回転軸４０ｃ（図４）に固定された固定部４６ａと、固定部４６ａと一体に形成された複数（本実施例では４枚）の羽根４６ｂとによって構成されている。
【００３２】
ガード４８は、送風性を損なうことなく送風羽根４６を保護するものであり、図４に示すように、送風羽根４６を後方から覆うリアガード５２と前方から覆うフロントガード５４とによって構成されている。
【００３３】
リアガード５２は、モータハウジング４０ｂに固定される小径リング部５２ａと、フロントガード５４に接合される鍔状の大径リング部５２ｂと、小径リング部５２ａと大径リング部５２ｂとの間に放射状に架け渡された複数の線材５２ｃと、線材５２ｃを補強する中径リング部５２ｄとによって構成されている。一方、フロントガード５４は、送風羽根４６の前方に配置される小径リング部５４ａと、リアガード５２に接合される鍔状の大径リング部５４ｂと、小径リング部５４ａと大径リング部５４ｂとの間に放射状に架け渡された複数の線材５４ｃと、線材５４ｃを補強する中径リング部５４ｄとによって構成されている。そして、リアガード５２の小径リング部５２ａがモータハウジング４０ｂに固定ねじ（図示省略）等を用いて固定されており、フロントガード５４の大径リング部５４ｂがリアガード５２の大径リング部５２ｂにフック状の引掛け部材（図示省略）等を用いて固定されている。
【００３４】
噴霧部１６は、図３および図４に示すように、ガイドケーシング５６と、９個の噴霧ノズル５８ａ〜５８ｉとを備えている。
【００３５】
ガイドケーシング５６は、図３および図４に示すように、送風羽根４６の回転軸Ａと同軸になるようにしてガード４８に取り付けられ、かつ、送風羽根４６によって送風される空気をガイドする筒状部材であり、図６および図７に示すように、筒状のケーシング本体６０と、ケーシング本体６０の下部に設けられた水受部６２と、ケーシング本体６０の軸方向一方端部外面に取り付けられた複数（本実施例では３個）の係止具６４と、ケーシング本体６０の軸方向一方端部の下部に取り付けられた蝶番６６（図４、図７）とによって構成されている。
【００３６】
ケーシング本体６０（図６、図７）は、空気をガイドするガイド面６０ａを構成する筒体であり、ケーシング本体６０の下部における噴霧ノズル５８ａ〜５８ｉの下方に位置する箇所には、水抜き用の開口６０ｂが形成されている。
【００３７】
ケーシング本体６０の内径Ｄ１は、図４に示すように、フロントガード５４における大径リング部５４ｂの外径Ｄ２よりもやや小さく設定されており、ケーシング本体６０の長さＬ１は、図４に示すように、フロントガード５４の前後方向長さＬ２と噴霧ノズル５８ａ〜５８ｉの前後方向長さＬ３との合計（Ｌ２＋Ｌ３）よりも十分に長く設定されている（Ｌ１＞Ｌ２＋Ｌ３）。したがって、ケーシング本体６０の軸方向一方端面６０ｃをフロントガード５４の大径リング部５４ｂに当接させることができ、かつ、ケーシング本体６０の内部にフロントガード５４と９個の噴霧ノズル５８ａ〜５８ｉとを収容することができる。
【００３８】
水受部６２は、図７に示すように、開口６０ｂから流下した水を受ける皿状の水受部本体６８を有しており、水受部本体６８の底面には、水抜き孔６８ａが形成されている。また、水抜き孔６８ａには、返水ホース７０（図３、図４）の一端に取り付けられた継手７２を着脱可能に接続するための筒状の接続部６８ｂが設けられている。そして、水受部本体６８の上部開口縁６８ｃが開口６０ｂの周囲においてケーシング本体６０に接合（溶接、ねじ止め等）されている。
【００３９】
係止具６４は、ガイドケーシング５６をガード４８に取り付けるため部材であり、図７に示すように、ケーシング本体６０の軸方向一方端部外面に固定された基部６４ａと、基部６４ａに対して回動可能に取り付けられた操作部６４ｂと、操作部６４ｂに対して回動可能に取り付けられたアーム部６４ｃと、アーム部６４ｃの先端部に形成され、かつ、リアガード５２（図４）の大径リング部５２ｂに係止される係止爪６４ｄとを有している。そして、複数（本実施例では３個）の係止具６４がケーシング本体６０の軸方向一方端部外面に周方向へ間隔（本実施例では９０度間隔）を隔てて取り付けられている。
【００４０】
各係止具６４において、操作部６４ｂを後方へ回動させたときには、図７中の二点鎖線で示すように、アーム部６４ｃおよび係止爪６４ｄが後方へ移動され、大径リング部５２ｂ（図４）に対する係止爪６４ｄの係止状態が解除される。一方、操作部６４ｂを前方へ移動させたときには、図７中の実線で示すように、アーム部６４ｃおよび係止爪６４ｄが前方へ移動され、大径リング部５２ｂ（図４）に対して係止爪６４ｄが係止されるとともに、操作部６４ｂがロックされた状態になる。
【００４１】
蝶番６６は、図７に示すように、ガード側固定片６６ａと、ケーシング側固定片６６ｂと、これらを回動可能に連結する回動軸６６ｃとを有しており、ガード側固定片６６ａがリアガード５２（図４）の下部に取り付けられており、ケーシング側固定片６６ｂがケーシング本体６０の下部に取り付けられている。回動軸６６ｃは、ガード側固定片６６ａおよびケーシング側固定片６６ｂのそれぞれに形成された軸受孔に抜き挿し可能に挿入されており、回動軸６６ｃを引き抜くことによってガード側固定片６６ａとケーシング側固定片６６ｂとが分離される。
【００４２】
噴霧ノズル５８ａ〜５８ｉは、図４に示すように、送風羽根４６の前方においてガイドケーシング５６の内部に配設され、かつ、空気の送風方向へ向けて霧を噴射するものであり、図３に示すように、複数（本実施例では９個）の噴霧ノズル５８ａ〜５８ｉのうち１個（噴霧ノズル５８ａ）がガイドケーシング５６の中心に配置されており、残り（噴霧ノズル５８ｂ〜５８ｉ）がガイドケーシング５６の内周面に沿って互いに間隔（本実施例では４５度間隔）を隔てて配置されている。なお、噴霧ノズル５８ａ〜５８ｉ…の数は、複数であればよく、２〜８個または１０個以上であってもよい。
【００４３】
ガイドケーシング５６の中心に配置された噴霧ノズル（以下、「中心ノズル」という。）５８ａは、図３に示すように、霧を噴射する噴霧口５９ａと、給水ホース８２（図１０（Ｄ））が接続される接続口５９ｂとを有しており、接続口５９ｂを下に向けた状態で、ガイドケーシング５６に取り付けられたノズル支持棒７４に固定されている。中心ノズル５８ａにおいては、その噴霧方向が真直ぐ前方へ向けられている。つまり、中心ノズル５８ａの中心軸と送風羽根４６の回転軸Ａとが一致している。
【００４４】
なお、中心ノズル５８ａは、後述するように「負圧」を発生させる機能を有しているが、当該機能を有効に発揮させるためには、中心ノズル５８ａから噴射される霧の流速を他の噴霧ノズル５８ｂ〜５８ｉから噴射される霧の流速よりも高速に設定しておくことが望ましい。
【００４５】
一方、ガイドケーシング５６の内周面に沿って配置された噴霧ノズル（以下、「周辺ノズル」という。）５８ｂ〜５８ｉは全て同じ構成を備えているため、以下には、周辺ノズル５８ｃを代表にしてこれらの構成を説明する。
【００４６】
周辺ノズル５８ｃは、図８に示すように、先端部に噴霧口７６ａを有するノズル本体７６を有しており、ノズル本体７６の後端部には、２つの受口７６ｂがケーシング本体６０（図３、図４）の周方向において互いに反対向きに設けられている。また、ノズル本体７６の内部には、後端部から噴霧口７６ａに至る通水路７６ｃが形成されており、通水路７６ｃの後端部側の開口部７６ｄには、チーズ継手７８の挿口７８ａが接続されている。
【００４７】
また、ノズル本体７６には、略Ｌ字状の固定金具７９の一片７９ａが固定（溶接、ねじ止め、かしめ等）されており、固定金具７９の他片７９ｂがケーシング本体６０の内面に固定（溶接、ねじ止め、リベット止め等）されている。
【００４８】
そして、本実施例では、図３に示すように、８個の周辺ノズル５８ｂ〜５８ｉがガイドケーシング５６の上部から時計回りに４５度の間隔で順に配置されており、隣り合う２つの噴霧ノズル５８ｂ〜５８ｉ間には、ホース支持棒８０が配置されており、ホース支持棒８０の一端が隣り合う一方の噴霧ノズル５８ｂ〜５８ｉの受口７６ｂに挿し込まれており、かつ、他端が他方の噴霧ノズル５８ｂ〜５８ｉの受口７６ｂに挿し込まれている。また、チーズ継手７８の受口７８ｂには、対応する噴霧ノズル５８ｂ〜５８ｉの位置に応じて、いずれかの給水ホース８４，８６，８８の連結ホース８４ｂ，８６ｂ，８８ｂ（図１０（Ａ），（Ｂ），（Ｃ））が接続されている。
【００４９】
周辺ノズル５８ｂ〜５８ｉにおいては、その噴霧方向が真直ぐ前方よりもややガイドケーシング５６の中心側へ向けられている。つまり、周辺ノズル５８ｂ〜５８ｉの中心軸Ｂは、図４に示すように、送風羽根４６の回転軸Ａ（または回転軸Ａに平行な直線Ａ´）に対して５〜３０度程度の傾斜角度αで傾斜している。したがって、周辺ノズル５８ｂ〜５８ｉから噴射された霧は、ガイドケーシング５６の中心側において効率よく風に乗るようになる。なお、周辺ノズル５８ｂ〜５８ｉの中心軸Ｂは、ガイドケーシング５６の周方向において傾斜していてもよい。全ての周辺ノズル５８ｂ〜５８ｉの中心軸Ｂがガイドケーシング５６の周方向において同じ方向に傾斜している場合には、周辺ノズル５８ｂ〜５８ｉから噴射される霧に「捻り」を与えることができるので、塵埃の捕捉効率を高めることができる。
【００５０】
給水部１８は、複数（本実施例では９個）の噴霧ノズル５８ａ〜５８ｉのうち少なくとも１個が接続された４本の給水ホース８２，８４，８６，８８（図５、図９、図１０）と、一端が水受部６２の水抜き孔６８ａに接続された返水ホース７０（図４、図５）と、水を溜める水タンク９０（図２、図５）と、水タンク９０内の水を給水ホース８２，８４，８６，８８のそれぞれに圧送する給水ポンプ９２（図２、図５）と、給水ホース８２，８４，８６，８８における水の流れを制御する弁ユニット９４（図２、図５、図１１）とを備えている。なお、給水ホース８２，８４，８６，８８…の数は複数であればよく、２本、３本または５本以上であってもよいが、給水ホースのそれぞれには少なくとも１個の噴霧ノズルが他の給水ホースに接続されることなく接続されている（図１０）。
【００５１】
図９は、４本の給水ホース８２，８４，８６，８８の配設状態を示す正面図であり、図１０は、４本の給水ホース８２，８４，８６，８８のそれぞれを個別に示す正面図である。
【００５２】
第１の給水ホース８２は、図１０（Ｄ）に示すように、一端が弁ユニット９４（図５）に接続された弁側給水ホース８２ａと、一端が中心ノズル５８ａに接続されたノズル側給水ホース８２ｃと、弁側給水ホース８２ａの他端とノズル側給水ホース８２ｃの他端とを着脱可能に接続する接続部材８２ｄとを有している。
【００５３】
第２の給水ホース８４は、図１０（Ａ）に示すように、一端が弁ユニット９４（図５）に接続された弁側給水ホース８４ａと、４個の噴霧ノズル５８ｂ，５８ｄ，５８ｆ，５８ｈを連結する環状の連結ホース８４ｂと、一端が連結ホース８４ｂに接続されたノズル側給水ホース８４ｃと、弁側給水ホース８４ａの他端とノズル側給水ホース８４ｃの他端とを着脱可能に接続する接続部材８４ｄとを有している。
【００５４】
第３の給水ホース８６は、図１０（Ｂ）に示すように、一端が弁ユニット９４（図５）に接続された弁側給水ホース８６ａと、２個の噴霧ノズル５８ｅ，５８ｉを連結する環状の連結ホース８６ｂと、一端が連結ホース８６ｂに接続されたノズル側給水ホース８６ｃと、弁側給水ホース８６ａの他端とノズル側給水ホース８６ｃの他端とを着脱可能に接続する接続部材８６ｄとを有している。
【００５５】
第４の給水ホース８８は、一端が弁ユニット９４に接続された弁側給水ホース８８ａと、２個の噴霧ノズル５８ｃ，５８ｇを連結する環状の連結ホース８８ｂと、一端が連結ホース８８ｂに接続されたノズル側給水ホース８８ｃと、弁側給水ホース８８ａの他端とノズル側給水ホース８８ｃの他端とを着脱可能に接続する接続部材８８ｄとを有している。
【００５６】
そして、図９に示すように、給水ホース８４，８６，８８を構成する環状の連結ホース８４ｂ，８６ｂ，８８ｂが、ホース支持棒８０に対して固定バンド９６を用いて固定されている。なお、給水ホース８２，８４，８６，８８に接続される噴霧ノズル５８ａ〜５８ｉの数は、本実施例に限定されるものではなく、適宜変更可能である。
【００５７】
水タンク９０は、図５に示すように、噴霧ノズル５８ａ〜５８ｉへ供給する水を溜めておくための容器であり、水タンク９０には、入水口９０ａと出水口９０ｂとが形成されている。そして、水タンク９０の入水口９０ａと水受部６２（図４）の水抜き孔６８ａとが返水ホース７０を介して連通されており、水タンク９０の出水口９０ｂと給水ポンプ９２の吸水口９２ａとが吸水ホース９８を介して連通されている。さらに、給水ポンプ９２の吐水口９２ｂと弁ユニット９４の入水口１０２ｂ，１０４ｂ，１０６ｂ，１０８ｂ（図１１）とが給水ホース１００を介して連通されている。
【００５８】
弁ユニット９４は、図１１に示すように、４本の給水ホース８２，８４，８６，８８のそれぞれに対応して設けられ、かつ、噴霧ノズル５８ａ〜５８ｉへ向かう水の流路を必要に応じて開閉する４個の電磁弁１０２，１０４，１０６，１０８を有している。
【００５９】
各電磁弁１０２，１０４，１０６，１０８は、図１１に示すように、弁体（図示省略）を内蔵した弁本体１０２ａ，１０４ａ，１０６ａ，１０８ａを有しており、弁本体１０２ａ，１０４ａ，１０６ａ，１０８ａには、入水口１０２ｂ，１０４ｂ，１０６ｂ，１０８ｂと出水口１０２ｃ，１０４ｃ，１０６ｃ，１０８ｃとが形成されている。また、弁本体１０２ａ，１０４ａ，１０６ａ，１０８ａには、電力供給端子１０２ｄ，１０４ｄ，１０６ｄ，１０８ｄが形成されている。そして、入水口１０２ｂ，１０４ｂ，１０６ｂ，１０８ｂには、給水ホース１００の一端が分岐ホース１００ａ，１００ｂ，１００ｃ，１００ｄを介して接続されており、出水口１０２ｃ，１０４ｃ，１０６ｃ，１０８ｃには、給水ホース８２，８４，８６，８８（図１０）を構成する弁側給水ホース８２ａ，８４ａ，８６ａ，８８ａの一端が接続されている。また、電力供給端子１０２ｄ，１０４ｄ，１０６ｄ，１０８ｄには、導電線１１０ａ，１１０ｂ，１１０ｃ，１１０ｄおよび弁スイッチユニット１１２（図５）を介して電源（ＡＣ１００Ｖ）が接続されている。
【００６０】
制御盤２０は、図１２に示すように、支柱３６（図２）の上端部に取り付けられたケース１１４を有しており、ケース１１４の表面に電源スイッチ１１６、手動／自動切換スイッチ１１８、弁スイッチユニット１１２および風量スイッチユニット１２０が取り付けられており、ケース１１４の内部に各種の配線が収容されている。
【００６１】
制御盤２０においては、図５に示すように、電磁弁１０２，１０４，１０６，１０８に駆動電力を供給するための２つの給電回路Ｅ１およびＥ２が構成されており、一方の給電回路Ｅ１が「手動給電回路」となっており、他方の給電回路Ｅ２が「自動給電回路」となっている。
【００６２】
電源スイッチ１１６（図５）は、モータ４０、給水ポンプ９２および電磁弁１０２，１０４，１０６，１０８に対する駆動電力の供給をＯＮ／ＯＦＦするものであり、手動給電回路Ｅ１および自動給電回路Ｅ２に共通に設けられている。手動／自動切換スイッチ１１８（図５）は、手動給電回路Ｅ１および自動給電回路Ｅ２を切り換えるためのものであり、「手動」を選択したときには、手動給電回路Ｅ１に駆動電流が与えられ、「自動」を選択したときには、自動給電回路Ｅ２に駆動電流が与えられる。
【００６３】
弁スイッチユニット１１２は、「弁制御部」として機能するものであり、図５に示すように、電磁弁１０２，１０４，１０６，１０８を個別にＯＮ／ＯＦＦするための４個の弁スイッチ１１２ａ〜１１２ｄを有しており、弁スイッチ１１２ａ〜１１２ｄが手動給電回路Ｅ１において導電線１１０ａ〜１１０ｄに接続されている。
【００６４】
風量スイッチユニット１２０は、「風量制御部」として機能する（自動運転時には、「弁制御部」としても機能する。）ものであり、図５に示すように、モータドライバ５０に対して「強風」、「中風」または「弱風」の風量信号を付与するための３個の風量スイッチ１２０ａ〜１２０ｃを有している。そして、「強風」に対応する風量スイッチ１２０ａが自動給電回路Ｅ２において導電線１１０ａ〜１１０ｄの全てに接続されており、「中風」に対応する風量スイッチ１２０ｂが自動給電回路Ｅ２において導電線１１０ｂおよび１１０ｃに接続されており、「弱風」に対応する風量スイッチ１２０ｄが自動給電回路Ｅ２において導電線１１０ｂに接続されている。
【００６５】
手動／自動切換スイッチ１１８（図５）で「手動」を選択したときには、弁スイッチユニット１１２の弁スイッチ１１２ａ〜１１２ｄを手動で操作することによって４個の電磁弁１０２，１０４，１０６，１０８を個別に開閉することができ、いずれの給水ホース８２，８４，８６，８８に給水するか、すなわち、いずれの噴霧ノズル５８ａ〜５８ｉから噴霧するかを任意に選択することができる。また、風量スイッチユニット１２０の風量スイッチ１２０ａ〜１２０ｃを手動で操作することによってモータドライバ５０に「強風」、「中風」、「弱風」の３通りの風量信号を与えることができ、モータドライバ５０でモータ４０の回転数を切り換えることによって送風羽根４６の送風量を切り換えることができる。
【００６６】
したがって、手動運転においては、図１３（Ａ）の「表」に示すように、使用する噴霧ノズル５８ａ〜５８ｉの数を風量とは無関係に「１〜９個」の範囲内で任意に選択することができる。なお、表中の「電磁弁１」，「電磁弁２」，「電磁弁３」，「電磁弁４」は、図１２に示した弁スイッチ１１２ａ，１１２ｂ，１１２ｃ，１１２ｄに対応するものであり、制御盤２０に記載された表示に対応するものである。
【００６７】
一方、手動／自動切換スイッチ１１８（図５）で「自動」を選択したときには、弁スイッチユニット１１２が無効となり、電磁弁１０２，１０４，１０６，１０８の開閉動作は、風量スイッチ１２０ａ〜１２０ｃによる切換動作に連動することになる。つまり、「強風」に対応する風量スイッチ１２０ａをＯＮすると、風量スイッチ１２０ａに接続された導電線１１０ａ〜１１０ｄの全てに駆動電流が与えられ、電磁弁１０２，１０４，１０６，１０８の全てが開かれる。これにより、全ての給水ホース８２，８４，８６，８８に給水され、全ての噴霧ノズル５８ａ〜５８ｉ（９個）から噴霧されるようになる。また、「中風」に対応する風量スイッチ１２０ｂをＯＮすると、風量スイッチ１２０ｂに接続された導電線１１０ｂおよび１１０ｃに駆動電流が与えられ、電磁弁１０４および１０６が開かれる。これにより、給水ホース８４および８６に給水され、噴霧ノズル５８ｂ，５８ｄ，５８ｅ，５８ｆ，５８ｈ，５８ｉ（６個）から噴霧されるようになる。そして、「弱風」に対応する風量スイッチ１２０ｃをＯＮすると、風量スイッチ１２０ｃに接続された導電線１１０ｂに駆動電流が与えられ、電磁弁１０４だけが開かれる。これにより、給水ホース８４だけに給水され、噴霧ノズル５８ｂ，５８ｄ，５８ｆ，５８ｈ（４個）から噴霧されるようになる。
【００６８】
したがって、自動運転においては、図１３（Ｂ）の「表」に示すように、風量に応じて使用する噴霧ノズル５８ａ〜５８ｉの数が３通りに自動的に決まることになる。つまり、自動運転においては、風量スイッチユニット１２０が「風量制御部」としてだけでなく、「弁制御部」としても機能することになり、「強風」，「中風」，「弱風」に対応して、「９個」，「６個」，「４個」の噴霧ノズルから噴霧されることになる。
【００６９】
噴霧扇風機１０を使用する際には、手動／自動切換スイッチ１１８によって「手動運転」または「自動運転」のいずれかを選択するとともに、「送風量」および「噴霧量（ノズル数）」を選択（自動運転では「送風量」だけを選択）して運転を開始する。すると、選択された噴霧ノズル５８ａ〜５８ｉから霧が噴射され、この霧が送風羽根４６から送られた風に乗せて運ばれる。このとき、中心ノズル５８ａが選択されている場合には、中心ノズル５８ａから噴霧されることによって中心ノズル５８ａの周囲に負圧が発生し、周辺ノズル５８ｂ〜５８ｉから噴射された霧は、当該負圧に引かれてガイドケーシング５６の中心側へ向かおうとする。したがって、噴霧ノズル５８ａ〜５８ｉから噴射された霧がより効率よく風に乗るようになり、冷却または防塵効率が向上する。
【００７０】
噴霧扇風機１０の送風部１４を修理または点検する際には、図１４に示すように、係止具６４の係止状態を解除した後、ガイドケーシング５６の全体を前方へ傾ける（図１４中の二点鎖線参照）。そして、フロントガード５４をリアガード５２から取り外す。フロントガード５４を取り外すと、送風羽根４６が露出するので、送風羽根４６およびその周辺部分に対する修理または点検を容易に行うことができる。
【００７１】
一方、噴霧部１６を修理または点検する際には、係止具６４の係止状態を解除した後、さらに、蝶番６６の回動軸６６ｃ（図７）を引き抜くことによってガード側固定片６６ａとケーシング側固定片６６ｂとを分離する。また、給水ホース８２，８４，８６，８８においては、接続部材８２ｄ，８４ｄ，８６ｄ，８８ｄのロックを解除することによって弁側給水ホース８２ａ，８４ａ，８６ａ，８８ａ（図１０）からノズル側給水ホース８２ｃ，８４ｃ，８６ｃ，８８ｃ（図１０）を切り離す。さらに、返水ホース７０（図３、図４）の一端に取り付けられた継手７２を接続部６８ｂから切り離す。すると、図１４中の実線で示すように、噴霧部１６が他の構成部分から完全に分離されるので、噴霧部１６だけを工場等に持ち込むことが可能となり、噴霧部１６の修理または点検を効率よく行うことができる。
【００７２】
なお、上述の実施例では、図５に示すように、弁スイッチ１１２ａ，１１２ｂ，１１２ｃ，１１２ｄのそれぞれに１個の電磁弁１０２，１０４，１０６，１０８を対応させているが、図１５に示すように、弁スイッチ１１２ａ，１１２ｂ，１１２ｃ，１１２ｄの少なくとも１個に電磁弁１０２，１０４，１０６，１０８のいずれか２個以上を対応させるようにしてもよい。この場合には、複数の電磁弁を１個の弁スイッチで操作することができるので、操作性を高めることができる。この場合には、弁スイッチ１１２ａ，１１２ｂ，１１２ｃ，１１２ｄによる開閉指示が干渉し合うことのないように、１個の弁スイッチをＯＮしたときには、他の弁スイッチがＯＦＦとなるように構成することが望ましい。
【００７３】
図１５に示した実施例では、弁スイッチ１１２ｂに４個の電磁弁１０２，１０４，１０６，１０８を対応させ、弁スイッチ１１２ｃに２個の電磁弁１０４，１０６を対応させているので、弁スイッチ１１２ｂを押すだけで全ての噴霧ノズル５８ａ〜５８ｉ（９個）から噴霧することができ、また、弁スイッチ１１２ｃを押すだけで噴霧ノズル５８ｂ，５８ｄ，５８ｅ，５８ｆ，５８ｈ，５８ｉ（６個）から噴霧することができる。
【００７４】
また、上述の実施例では、噴霧ノズル５８ａ〜５８ｉへ向かう水の流路を電磁弁１０２，１０４，１０６，１０８で開閉するようにしているが、「電磁弁」に代えて、「手動式の弁」等を用いるようにしてもよい。そして、この場合には、自動給電回路Ｅ２を省略するようにしてもよい。
【図面の簡単な説明】
【００７５】
【図１】噴霧機能付き扇風機を示す正面図
【図２】噴霧機能付き扇風機を示す側面図
【図３】噴霧機能付き扇風機の要部を示す正面図
【図４】噴霧機能付き扇風機の要部を示す一部破断側面図
【図５】噴霧機能付き扇風機の機能を示す概念図
【図６】ガイドケーシングを示す正面図
【図７】図６におけるＶＩＩ−ＶＩＩ線断面図
【図８】噴霧ノズルを示す（Ａ）正面図および（Ｂ）斜視図
【図９】給水ホースの配管状態を示す正面図
【図１０】４本の給水ホースを個別に示す正面図
【図１１】弁ユニットを示す正面図
【図１２】制御盤を示す正面図
【図１３】噴霧機能付き扇風機の動作パターンを示す表
【図１４】噴霧機能付き扇風機の修理または点検の方法を示す概念図
【図１５】弁制御部の変形例を示す概念図
【符号の説明】
【００７６】
Ａ…  送風羽根の回転軸
Ｂ…  周辺ノズルの中心軸
１０…  噴霧機能付き扇風機
１２…  台車
１４…  送風部
１６…  噴霧部
１８…  給水部
２０…  制御盤
４０…  モータ
４６…  送風羽根
４８…  ガード
５２…  リアガード
５４…  フロントガード
５６…  ガイドケーシング
５８ａ…  中心ノズル（噴霧ノズル）
５８ｂ〜５８ｉ…  周辺ノズル（噴霧ノズル）
６２…  水受部
６４…  係止具
６６…  蝶番
７０…  返水ホース
７４…  ノズル支持棒
７９…  固定金具
７８…  チーズ継手
８０…  ホース支持棒
８２，８４，８６，８８…  給水ホース
８２ａ，８４ａ，８６ａ，８８ａ…  弁側給水ホース
８４ｂ，８６ｂ，８８ｂ…  連結ホース
８２ｃ，８４ｃ，８６ｃ，８８ｃ…  ノズル側給水ホース
８２ｄ，８４ｄ，８６ｄ，８８ｄ…  接続部材
９２…  給水ポンプ
９４…  弁ユニット
９６…  固定バンド
Ｅ１…  手動給電回路
Ｅ２…  自動給電回路
１００…  給水ホース
１０２，１０４，１０６，１０８…  電磁弁
１１２…  弁スイッチユニット
１１２ａ〜１１２ｄ…  弁スイッチ
１１６…  電源スイッチ
１１８…  手動／自動切換スイッチ
１２０…  風量スイッチユニット
１２０ａ〜１２０ｄ…  風量スイッチ
【要約】
【課題】噴霧量を調整できるとともに、噴霧ノズルから噴射された霧を効率よく風に乗せることができる、噴霧機能付き扇風機を提供する。
【解決手段】噴霧機能付き扇風機１０は、送風羽根４６によって送風される空気をガイドする筒状のガイドケーシング５６と、送風羽根４６の前方においてガイドケーシング５６の内部に配設され、かつ、空気の送風方向へ向けて霧を噴射する複数の噴霧ノズル５８ａ〜５８ｉとを有する噴霧部１６を備えており、複数の給水ホース８２，８４，８６，８８のそれぞれが、噴霧ノズル５８ａ〜５８ｉのうち少なくとも１個に接続されている。また、給水ホース８２，８４，８６，８８のそれぞれには、弁が設けられており、弁の開閉動作が弁制御部によって制御される。
【選択図】図４【図１】
0004102852.tif 000002
【図２】
0004102852.tif 000003
【図３】
0004102852.tif 000004
【図４】
0004102852.tif 000005
【図５】
0004102852.tif 000006
【図６】
0004102852.tif 000007
【図７】
0004102852.tif 000008
【図８】
0004102852.tif 000009
【図９】
0004102852.tif 000010
【図１０】
0004102852.tif 000011
【図１１】
0004102852.tif 000012
【図１２】
0004102852.tif 000013
【図１３】
0004102852.tif 000014
【図１４】
0004102852.tif 000015
【図１５】
0004102852.tif 000016